(57)【特許請求の範囲】
【請求項１】
ケースと、
ケース内に収容してある電話機本体と、
該ケースのうちストラップが取付けられる個所の開口を塞ぐ透明なストラップカバーと、
該ストラップカバーの天板の上面に貼りつけてあり、水が付くと変色する水没認識部材とよりなる構成としたことを特徴とする携帯電話機。
【請求項２】
上記ストラップカバーは、上記天板の上面に、凹段部を有し、
該水没認識部材が該ストラップカバーの天板の上面に貼りつけられた状態において、上記凹段部が該水没認識部材で覆われて水が侵入する水侵入路を形成する構成としたことを特徴とする請求項１記載の携帯電話機。
【請求項３】
上記ストラップカバーは、上記天板の上面に、一端が該天板の端にまで到っている凹段部を有し、
該水没認識部材が該ストラップカバーの天板の上面に貼りつけられた状態において、上記凹段部が該水没認識部材で覆われて水が侵入する水侵入路を形成し、
該水没認識部材を、該天板の端に対向する部分を非接着とし、且つ、上記水侵入路の周りの個所を接着して上記天板の上面に部分的に接着した構成としたことを特徴とする請求項１記載の携帯電話機。
【請求項４】
上記透明塞ぎ部材は、該ケースのうちストラップが取付けられる個所の開口を塞ぐ透明なストラップカバーであり、
該水没認識部材は、上記電話機本体のうち上記ストラップカバーに対向する部位に設けてある構成としたことを特徴とする請求項１記載の携帯電話機。
【請求項５】
ケースと、
ケース内に収容してある電話機本体と、
水が付くと変色する水没認識部材とよりなり、
上記ケースのうちバッテリーパックが装着されるバッテリーパック装着部のうちロッドアンテナが収まる透明なパイプが収まるパイプ収容部に開口窓を設け、且つ、該透明なパイプの周面のうち上記開口窓からみて裏側の部位に、上記水没認識部材を設けた構成としたことを特徴とする携帯電話機。
【発明の詳細な説明】
【０００１】
【発明の属する技術分野】
本発明は携帯電話機に係り、特に、携帯電話機が水没した履歴があることを認識させる構造に関する。
一般に、携帯電話機は故障した場合に無償で修理することが保証されている。この修理のシステムは、通常、ユーザが故障した携帯電話機をサービスセンタに持ち込み、携帯電話機がサービスセンタから工場に送られ、工場で携帯電話機を分解して修理を行い、修理が済んだ携帯電話機をサービスセンタに戻し、ユーザに手渡すという仕組みになっている。ここで、無償の修理は携帯電話機を通常に使用していて故障した場合に限られ、それ以外で故障した場合は修理は有償であるのが通常である。
【０００２】
ここで、携帯電話機はユーザによって携帯されて使用されるため、据え置き型の機器とは異なり、誤って水の中に落とす事故が起きることが予想される。携帯電話機は雨に濡れた程度では水が内部に侵入しないようになっているけれども、水没させた場合にも水が内部に侵入しない程度の防水構造とはなっていない。このため、携帯電話機を誤って水の中に落とした場合には、水が携帯電話機の内部に侵入して、携帯電話機は故障してしまう。この水没による故障は通常に使用している以外で起きた故障であり、通常は、修理は有償である。
【０００３】
時間がたつと水没の痕跡は無くなるため、通常、携帯電話機には水没を経験したことが分かる構造が組み込まれている。修理が有償になることの判断をするためである。この水没を認識する構造は、上記の修理のシステムが円滑に機能し、ユーザにとってサービス性の良いものであることが望ましい。
【０００４】
【従来の技術】
従来の携帯電話機は、水が付くと変色する水没シートを、ケースのうち装着されたバッテリーパックによって隠れる部位又はイヤホンキャップによって隠れる部位に貼りつけた構成、または、ケースの内部に貼りつけた構成である。
【０００５】
【発明が解決しようとする課題】
水没シートをケースのうち装着されたバッテリーパックによって隠れる部位に貼りつけた構成の携帯電話機の場合には、濡れた手で触れた場合であっても水没シートが変色してしまう。よって、携帯電話機が水没の履歴があること、即ち水没の経験があることの判断の信頼性が低下し、修理が有償であるとした判断でユーザとの争いが起きることがあった。イヤホンキャップによって隠れる部位に貼りつけた構成の場合も同じ問題があった。
【０００６】
水没シートをケースの内部に貼りつけた構成の携帯電話機の場合には、携帯電話機を濡れた手で取り扱ったり、携帯電話機が雨に濡れたりしても、水没シートが変色することはないけれども、携帯電話機を分解してばらした後でなければ水没シートが変色しているか否かが分からない。修理が有償になることは、携帯電話機がサービスセンタから工場に送られ、工場で携帯電話機を分解した段階で始めて分かる。即ち、ユーザが故障した携帯電話機をサービスセンタに持ち込んだその場で、修理が有償になることをユーザに伝えることが出来ず、特に、修理が有償である場合には、修理はせずに携帯電話機を買い換えようと思っているユーザにとってはサービス性が良いものではなかった。
【０００７】
そこで、本発明は、上記課題を解決した携帯電話機を提供することを目的とする。
【０００８】
【課題を解決するための手段】
請求項１の発明は、ケースと、ケース内に収容してある電話機本体と、該ケースのうちストラップが取付けられる個所の開口を塞ぐ透明なストラップカバーと、該ストラップカバーの天板の上面に貼りつけてあり、水が付くと変色する水没認識部材とよりなる構成としたものである。
【０００９】
請求項２の発明は、請求項１において、ストラップカバーは、上記天板の上面に、凹段部を有し、
該水没認識部材が該ストラップカバーの天板の上面に貼りつけられた状態において、上記凹段部が該水没認識部材で覆われて水が侵入する水侵入路を形成する構成としたものである。
【００１０】
請求項３の発明は、請求項１において、上記ストラップカバーは、上記天板の上面に、一端が該天板の端にまで到っている凹段部を有し、
該水没認識部材が該ストラップカバーの天板の上面に貼りつけられた状態において、上記凹段部が該水没認識部材で覆われて水が侵入する水侵入路を形成し、  該水没認識部材を、該天板の端に対向する部分を非接着し、且つ、上記水侵入路の周りの個所を接着して上記天板の上面に部分的に接着した構成としたものである。
【００１１】
請求項４の発明は、請求項１において、上記透明塞ぎ部材は、該ケースのうちストラップが取付けられる個所の開口を塞ぐ透明なストラップカバーであり、
該水没認識部材は、上記電話機本体のうち上記ストラップカバーに対向する部位に設けてある構成としたものである。
【００１２】
請求項５の発明は、電話機本体がケース内に収容してあり、
該ケースのうちバッテリーパックが装着されるバッテリーパック装着部のうちロッドアンテナが収まる透明なパイプが収まるパイプ収容部に開口窓を設け、且つ、該透明なパイプの周面のうち上記開口窓からみて裏側の部位に水没認識部材を設けた構成としたものである。
【００１３】
【発明の実施の形態】
図１（Ａ），（Ｂ），（Ｃ）は、本発明の第１実施例になる携帯電話機１０のの発明の要部を示す。
携帯電話機１０は、図３（Ａ），（Ｂ），（Ｃ）及び図４に示すように、携帯電話機１０は、フロントケース１１とリアケース１２とが、間に、電話機本体１３プリント配線板ユニット１３を挟んで組み合わされ、複数のねじ１４で固定された構成を有する。前面側には、複数のキー１５、液晶表示窓１６、受話部１７、送話部１８が設けてある。背面側には、バッテリーパック装着部１９が凹状に形成してある。ここに、バッテリーパック２０が装着される。フロントケース１１とリアケース１２とがケース２２を構成する。電話機本体１３は、プリント配線板１３ａ、シールドケース１３ｂ、外部インターフェースコネクタ部１３ｃ等を有する構成である。
【００１４】
２１は携帯電話機１０を携帯するときに利用されるストラップであり、携帯電話機１０の背面のうちアンテナ寄りの個所に固定して設けてある。
図１（Ａ），（Ｂ），（Ｃ）及び図２は、水没認識構造３０を示す。水没認識構造３０は、矩形状の水没シート３１を有する構造であり、リアケース１２の内面側に設けてあり、上記のストラップ２１を止めるストラップ止め構造３２を利用した構成となっている。
【００１５】
先ず、ストラップ止め構造３２について説明する。ストラップ止め構造３２は、リアケース本体１２ａと一体形成してあるストラップ止め軸構造部３３に、ストラップカバー３４が嵌合して固定された構造を有する。ストラップカバー３４は、リアケース１２とは別の部材である独立した部材である。
ストラップ止め軸構造部３３は、リアケース本体１２ａに開けてあるＹ方向に少し細長の矩形状の開口３３ａと、この開口３３ａの長手方向の辺に沿って立ち上がっておりＸ方向上対向しているフランジ部３３ｂ，３３ｃと、フランジ部３３ｂ，３３ｃ間を横切っているストラップ止め軸部３３ｄと、開口３３ａの別の対向する辺に形成してある係止爪部３３ｅ，３３ｆとよりなる。ストラップ止め軸部３３ｄは、両端をフランジ部３３ｂ，３３ｃに固定されて設けてあり、リアケース１２の外側から見て開口３３ａの奥のポケット３５（図１（Ｂ）参照）内に設けてある。
【００１６】
ストラップカバー３４は、ポケット３５の奥部を塞ぐための部材であり、大略アーチ形状を有しており、天板部３４ａと、この両側から斜め下方に延びている脚部３４ｂ，３４ｃとよりなる。脚部３４ｂは、凹部３４ｂ−１を有し、脚部３４ｃは、凹部３４ｃ−１を有する。
このストラップカバー３４は、図１（Ａ）乃至（Ｃ）に示すように、凹部３４ｂ−１が係止爪部３３ｅと係合し、凹部３４ｃ−１が係止爪部３３ｆと係合してストラップ止め軸構造部３３に取り付けてある。ストラップカバー３４は、ストラップ止め軸部３３ｄの上方を覆っており、且つ、フランジ部３３ｂ，３３ｃの縁に沿っている。
【００１７】
次に、ストラップ止め構造３２を利用して構成してある水没認識構造３０について説明する。
ストラップカバー３４は、透明樹脂製であり、特許請求の範囲の欄記載の「透明塞ぎ部材」を構成する。ストラップカバー３４の天板部３４ａの上面には、矩形状の水没シート３１の約半分の大きさに対応する面積の水没シート接着部３４ａ−１が形成してある。水没シート接着部３４ａ−１の周囲には凸段部３４ａ−２がＬ字形状に形成してあり、これが水没シート３１が位置決めに使用される。水没シート接着部３４ａ−１には、浅い凹段部３４ａ−３がＸ１側の端３４ａ−４からＸ２方向に水没シート接着部３４ａ−１の略中央にまで延在して形成してある。凹段部３４ａ−３のＸ１側の端には、偏平のＵ字状開口３４ａ−５が形成してある。この凹段部３４ａ−３は、後述するように、水が侵入する水侵入路を形成する。
【００１８】
水没シート３１は、繊維が粗い紙製であり、矩形状を有し、Ｘ１側半分が赤インク印刷部３１ａであり、Ｘ１側半分が印刷がされていない印刷無し部３１ｂであり、印刷無し部３１ｂの下面と赤インク印刷部３１ａの下面の一部にかけてＵ字形状の両面接着テープ３１ｃが接着してある。赤インク印刷部３１ａは、クロスのハッチングで示す。赤インク印刷部３１ａの赤インクは、水に非常に溶けやすい性質を有している。印刷無し部３１ｂは白色である。この水没シート３１が、特許請求の範囲の欄記載の「水没認識部材」を構成する。
【００１９】
水没シート３１は、その印刷無し部３１ｂがＬ字形状の凸段部３４ａ−２によって位置決めされて、印刷無し部３１ｂの全部と赤インク印刷部３１ａの一部とが両面接着テープ３１ｃによって水没シート接着部３４ａ−１に接着してある。赤インク印刷部３１ａは、水没シート接着部３４ａ−１からＸ１側に張り出している。この状態で、水没シート３１は凹段部３４ａ−３を覆っており、凹段部３４ａ−３と水没シート３１とで水侵入路３６が形成してあり、偏平のＵ字状開口３４ａ−５と水没シート３１とで水侵入路３６の入口３７を形成している。また、両面接着テープ３１ｃがＵ字形状であり、水没シート３１のうち水没シート接着部３４ａ−１に対向している面積のうちの大部分が水没シート接着部３４ａ−１に接着されていず、隙間３８が形成されている。この隙間３８も水をしみ込み易くする。
【００２０】
上記のように、水没認識構造３０は、ストラップ止め構造３２を利用して、ケース２２の内部に設けてある。また、ストラップカバー３４はポケット３５の奥部に有り、しかも、通常はストラップ２１によって隠されており、目立たない。よって、ストラップカバー３４が透明であっても、外観上目ざわりとなる等の問題はない。
【００２１】
次に、水没認識構造３０の動作について説明する。
水没認識構造３０の状態を見るときには、サービス員が図１（Ｂ）に示すように、ストラップ２１を片側に寄せて、携帯電話機１０のリアケース１２側からストラップ止め構造３２のポケット３５の奥部を覗く。３９は、サービス員の目である。
【００２２】
通常は、透明な天板部３４ａを通して水没シート３１の印刷無し部３１ｂが白く見える。
水没認識構造３０がケース２２の内部に設けてあるため、使用者が濡れた手で携帯電話機１０を操作した場合にも、携帯電話機１０が雨に濡れた場合にも、水没シート３１は変色しない。よって、ストラップ止め構造３２のポケット３５の奥部の色は白である。
【００２３】
携帯電話機１０を誤って水の中に落とした場合には、水が携帯電話機の内部に侵入する。侵入した水は、水没認識構造３０に到る。水没認識構造３０に到った水は、図５及び図１（Ｂ）に矢印Ａで示すように、毛細管現象で入口３７より水侵入路３６及び隙間３８の奥部まで侵入し、且つそこに留まる。水が赤インク印刷部３１ａを濡らすと、赤インクが溶けだし、水が赤くなり、赤くなった水が水侵入路３６の奥部にまで、及び隙間３８の奥部にまで侵入して印刷無し部３１ｂに滲んでこの広い部分が赤く着色されて、白から赤に変色する。携帯電話機１０が乾燥された後も、印刷無し部３１ｂは赤く着色されたままである。
【００２４】
よって、水の中に落とした履歴がある携帯電話機をサービス員が図１（Ｂ）に示すようにストラップ２１を片側に寄せて、携帯電話機のリアケース１２側からストラップ止め構造３２のポケット３５の奥部を覗くと、赤く見える。このことから、サービス員はその携帯電話機が水の中に落としてしまった履歴があるものであることを信頼性良く判断出来る。よって、故障した携帯電話機をサービスセンタに持って来たユーザにその場で修理が有償となるか無償で済むかを伝えることが出来、修理が有償になる旨を伝えられたユーザはその場で修理を依頼するか、修理はせずに携帯電話機を買い換えるか等の決定をすることが出来、これによって、サービス性の向上が図られる。
【００２５】
なお、上記水侵入路３６及び隙間３８が存在することによって、印刷無し部３１ｂのうち赤く着色された領域は広い。よって、携帯電話機のリアケース１２側からストラップ止め構造３２のポケット３５の奥部を覗いたときにじっと見なくても直ぐに赤く見え、確認が容易である。
図６（Ａ），（Ｂ）は、本発明の第２実施例になる携帯電話機１０Ａを示す。図６（Ｂ）は、図６（Ａ）中、Ｂ−Ｂ線に沿う拡大断面図である。
【００２６】
水没認識構造３０Ａは、水没シート３１が、プリント配線板ユニット１３のうち、透明樹脂製のストラップカバー３４Ａの天板部３４Ａａに対向する部位に貼ってある構成である。
上記の実施例と同じく、水没認識構造３０Ａがケース２２の内部に設けてあるため、使用者が濡れた手で携帯電話機１０Ａを操作した場合にも、携帯電話機１０Ａが雨に濡れた場合にも、水没シート３１は変色せず、携帯電話機１０Ａを誤って水の中に落としたりして、水が携帯電話機の内部に侵入した場合には、水没シート３１の印刷無し部３１ｂが白から赤に変色する。サービス員が、ストラップを片側に寄せて、携帯電話機のリアケース１２側からストラップ止め構造３２のポケット３５の奥部を覗くと、赤く見える。
【００２７】
図７及び図８は、本発明の第３実施例になる携帯電話機１０Ｂを示す。
図７及び図８に示すように、水没認識構造３０Ｂは、フロントケース１１Ｂのうち、ゴム製のイヤホンキャップ４０が収まっているイヤホンキャップ収容部４１内に設けてある。イヤホンキャップ収容部４１内には、貫通穴４２と、貫通穴４２の周囲の矩形の凹段部４３と、矩形凹段部４３の周囲の矩形枠状の凹段部４４とが形成してある。矩形凹段部４３内に水没シート３１が貼ってあり、矩形枠状凹段部４４に透明板部材４５が貼ってあり、水没シート３１を覆っている。
【００２８】
普段は、水没シート３１はイヤホンキャップ４０によって隠されている。水没シート３１は透明板部材４５によって覆われているため、使用者が濡れた手で携帯電話機１０Ｂを操作した場合にも、携帯電話機１０Ｂが雨に濡れた場合にも、水没シート３１は変色ぜす、携帯電話機１０Ｂを誤って水の中に落としたりして、水が携帯電話機の内部に侵入した場合には、携帯電話機の内部に侵入した水が貫通穴４２を通って水没シート３１を濡らし、水没シート３１の印刷無し部３１ｂが白から赤に変色する。サービス員が、イヤホンキャップ４０をめくって内部の透明板部材４５の個所を覗くと、広い面積の部分が赤く見える。
【００２９】
図９及び図１０は、本発明の第４実施例になる携帯電話機１０Ｃを示す。
水没認識構造３０Ｃは、水没シート３１が、プリント配線板ユニット１３のうち、フロントケース１１Ｃのうちイヤホンキャップ収容部４１Ｃの開口窓５０に対向する部位に貼ってある構成である。開口窓５０は、透明板部材５１によって塞がれている。
【００３０】
普段は、開口窓５０及び水没シート３１はイヤホンキャップ４０によって隠されている。水没認識構造３０Ｃがケース２２（図３（Ｂ）参照）の内部に設けてあるため、使用者が濡れた手で携帯電話機１０Ｃを操作した場合にも、携帯電話機１０Ｃが雨に濡れた場合にも、水没シート３１は変色せず、携帯電話機１０Ｃを誤って水の中に落としたりして、水が携帯電話機の内部に侵入した場合には、水没シート３１の印刷無し部３１ｂが白から赤に変色する。サービス員が、イヤホンキャップ４０をめくって開口窓５０を通して内部を覗くと、広い面積の部分が赤く見える。
【００３１】
なお、透明板部材５１を取り外さなくても水没シート３１は交換出来る。
図１１及び図１２は、本発明の第５実施例になる携帯電話機１０Ｄを示す。
図１１及び図１２に示すように、水没認識構造３０Ｄは、リアケース１２Ｄのバッテリーパック装着部１９のうちアンテナ寄りの部位に設けてある。バッテリーパック装着部１９には、貫通穴６２と、貫通穴６２の周囲の矩形の凹段部６３と、矩形凹段部６３の周囲の矩形枠状の凹段部６４とが形成してある。矩形凹段部６３内に水没シート３１が貼ってあり、矩形枠状凹段部６４に透明板部材６５が貼ってあり、水没シート３１を覆っている。
【００３２】
普段は、透明板部材６５及び水没シート３１はバッテリーパック２０によって隠されている。水没シート３１は透明板部材６５によって覆われているため、使用者が濡れた手で携帯電話機１０Ｄを操作した場合にも、携帯電話機１０Ｄが雨に濡れた場合にも、水没シート３１は変色ぜす、携帯電話機１０Ｄを誤って水の中に落としたりして、水が携帯電話機の内部に侵入した場合には、携帯電話機の内部に侵入した水が貫通穴６２を通って水没シート３１を濡らし、水没シート３１の印刷無し部３１ｂが白から赤に変色する。サービス員が、バッテリーパック２０を取り外して、透明板部材６５の個所を覗くと、広い面積の部分が赤く見える。
【００３３】
図１３及び図１４は、本発明の第６実施例になる携帯電話機１０Ｅを示す。
水没認識構造３０Ｅは、水没シート３１が、プリント配線板ユニット１３のうち、リアケース１２Ｅのバッテリーパック装着部１９のうちアンテナ寄りの部位の開口窓７０に対向する部位に貼ってある構成である。開口窓５０は、透明板部材７１によって塞がれている。
【００３４】
普段は、透明板部材７１、開口窓５０及び水没シート３１はバッテリーパック２０によって隠されている。水没認識構造３０Ｅがケース２２（図３（Ｂ）参照）の内部に設けてあるため、使用者が濡れた手で携帯電話機１０Ｅを操作した場合にも、携帯電話機１０Ｅが雨に濡れた場合にも、水没シート３１は変色せず、携帯電話機１０Ｅを誤って水の中に落としたりして、水が携帯電話機の内部に侵入した場合には、水没シート３１の印刷無し部３１ｂが白から赤に変色する。サービス員が、バッテリーパック２０を取り外して、開口窓７０を通して内部を覗くと、広い面積の部分が赤く見える。
【００３５】
なお、透明板部材７１を取り外さなくても水没シート３１は交換出来る。
図１５及び図１６は、本発明の第７実施例になる携帯電話機１０Ｆを示す。
水没認識構造３０Ｆは、水没シート３１が、プリント配線板ユニット１３の一部である外部インターフェースコネクタ部１３ａのうち、リアケース１２Ｆのバッテリーパック装着部１９のうち外部インターフェースコネクタ部１３ａ寄りの部位の開口窓８０に対向する部位に貼ってある構成である。開口窓８０は、透明板部材８１によって塞がれている。
【００３６】
普段は、開口窓８０及び水没シート３１はバッテリーパック２０によって隠されている。水没認識構造３０Ｆがケース２２（図３（Ｂ）参照）の内部に設けてあるため、使用者が濡れた手で携帯電話機１０Ｆを操作した場合にも、携帯電話機１０Ｆが雨に濡れた場合にも、水没シート３１は変色せず、携帯電話機１０Ｆを誤って水の中に落としたりして、水が携帯電話機の内部に侵入した場合には、水没シート３１の印刷無し部３１ｂが白から赤に変色する。サービス員が、バッテリーパック２０を取り外して、開口窓８０を通して内部を覗くと、広い面積の部分が赤く見える。
【００３７】
なお、透明板部材８１を取り外さなくても水没シート３１は交換出来る。
図１７及び図１８は、本発明の第８実施例になる携帯電話機１０Ｇを示す。
水没認識構造３０Ｇは、リアケース１２Ｇのバッテリーパック装着部１９のうちロッドアンテナ９３を収容する透明なパイプ９０が収まる略半円筒形状のパイプ収容部９１に開口窓９２を設け、且つ、透明なパイプ９０の周面のうちプリント配線板ユニット１３側の部分のうち上記開口窓９２に対応する部位、即ち開口窓９１からみて裏側の部位に水没シート３１が貼ってある構成である。
【００３８】
普段は、開口窓９２はバッテリーパック２０によって隠されている。また、バッテリーパック２０が取り外された場合には、水没シート３１は、ロッドアンテナ９３によって隠されており、外観上の問題は無い。水没認識構造３０Ｇがケース２２（図３（Ｂ）参照）の内部に設けてあるため、使用者が濡れた手で携帯電話機１０Ｇを操作した場合にも、携帯電話機１０Ｇが雨に濡れた場合にも、水没シート３１は変色せず、携帯電話機１０Ｇを誤って水の中に落としたりして、水が携帯電話機の内部に侵入した場合には、水没シート３１の印刷無し部３１ｂが白から赤に変色する。サービス員が、バッテリーパック２０を取り外し、アンテナを引き出して、開口窓９２を通して内部をを覗くと、赤く見える。
【００３９】
【発明の効果】
以上説明したように、請求項１の発明によれば、ケースと、ケース内に収容してある電話機本体と、該ケースのうちストラップが取付けられる個所の開口を塞ぐ透明なストラップカバーと、該ストラップカバーの天板の上面に貼りつけてあり、水が付くと変色する水没認識部材とよりなる構成としたため、故障を起こしてサービスセンタに持ち込まれた携帯電話機を分解しなくても携帯電話機の外部から透明塞ぎ部材を通して見るだけで、その携帯電話機が水の中に落としてしまった履歴があるものであるか否かが、即ち、修理が有償か無償かの判断が出来る。また、水没認識部材はケースの内部に有るため、携帯電話機が雨に濡れた程度では水没認識部材が変色することは起きず、よって、その携帯電話機が水の中に落としてしまったものであることを信頼性良く判断出来る。よって、故障した携帯電話機をサービスセンタに持って来たユーザにその場で修理が有償となるか無償で済むかを伝えることが出来、修理が有償になる旨を伝えられたユーザはその場で修理を依頼するか、修理はせずに携帯電話機を買い換えるか等の決定をすることが出来、よって、サービス性の向上を図ることが出来る。
【００４０】
また、ケースの既存の開口を塞ぐ既存の部材を利用した構成であるため、携帯電話機のケース等の形状を変更せずとも実現出来、また、既存の部材を透明とした構成であるため、新しい部品を用意する必要が無く、よって、容易に実現出来る。
また、透明塞ぎ部材は、ケースのうちストラップが取付けられる個所の開口を塞ぐ透明なストラップカバーであり、水没認識部材は、ストラップカバーの天板の上面に貼りつけてある構成としたため、ストラップカバーは通常はストラップによって隠れて目立たない場所にあり、外観上目ざわりとなる等の問題が起きないようにすることが出来る。
【００４１】
請求項２の発明によれば、ストラップカバーは、天板の上面に、凹段部を有し、水没認識部材がストラップカバーの天板の上面に貼りつけられた状態において、凹段部が水没認識部材で覆われて水が侵入する水侵入路を形成する構成としたため、携帯電話機を水の中に落とした場合に、水が水侵入路内に入り込んで留まることによって水没認識部材のうち広い領域が変色するようにすることが出来、よって、携帯電話機の外部から透明なストラップカバーの個所を覗いた場合に、水没認識部材が変色していることの確認を容易に出来る。
【００４２】
請求項３の発明によれば、水没認識部材を、天板の端に対向する部分を非接着とし、且つ、水侵入路の周りの個所を接着して天板の上面に部分的に接着した構成としたため、水が天板の端に対向する非接着の部分から水没認識部材と天板の上面との間の接着されていない部分に侵入してそこに留まるようにすることが出来、これによって、水没認識部材のうち広い領域が変色するようにすることが出来、よって、携帯電話機の外部から透明なストラップカバーの個所を覗いた場合に、水没認識部材が変色していることの確認を容易に出来る。
【００４３】
請求項４の発明によれば、水没認識部材を、電話機本体のうち透明なストラップカバーに対向する部位に設けてある構成としたため、ストラップカバーは通常はストラップによって隠れて目立たない場所にあり、外観上目ざわりとなる等の問題が起きないようにすることが出来る。
【００４５】
請求項５の発明によれば、ケースのうちバッテリーパックが装着されるバッテリーパック装着部のうちロッドアンテナが収まる透明なパイプが収まるパイプ収容部に開口窓を設け、且つ、該透明なパイプの周面のうち上記開口窓からみて裏側の部位に水没認識部材を設けた構成としたため、故障を起こしてサービスセンタに持ち込まれた携帯電話機を分解しなくてもバッテリーパックを取り外しロッドアンテナを引き出して開口窓を通して見るだけで、その携帯電話機が水の中に落としてしまったものであるか否かが、即ち、修理が有償か無償かの判断が出来る。また、水没認識部材は透明なパイプの周面のうち開口窓からみて裏側の部位に有り、水が付着しにくいため、携帯電話機が雨に濡れた程度では水没認識部材が変色することは起きず、よって、その携帯電話機が水の中に落としてしまった履歴があるものであることを信頼性良く判断出来る。よって、故障した携帯電話機をサービスセンタに持って来たユーザにその場で修理が有償となるか無償で済むかを伝えることが出来、修理が有償になる旨を伝えられたユーザはその場で修理を依頼するか、修理はせずに携帯電話機を買い換えるか等の決定をすることが出来、よって、サービス性の向上を図ることが出来る。また、普段は、水没認識部材はバッテリーパックによって隠されており、また、バッテリーパックが取り外された場合には、ロッドアンテナによって隠されており、外観上の問題も無い。
【図面の簡単な説明】
【図１】本発明の第１実施例になる携帯電話機の要部を示す図である。
【図２】図１の構造部分を分解して示す図である。
【図３】本発明の第１実施例になる携帯電話機を示す図である。
【図４】図３の携帯電話機の分解斜視図である。
【図５】水没時における水没認識構造の動作を説明する図である。
【図６】本発明の第２実施例になる携帯電話機を示す図である。
【図７】本発明の第３実施例になる携帯電話機を示す図である。
【図８】図７中、VIII-VIII 線に沿う拡大断面図である。
【図９】本発明の第４実施例になる携帯電話機を示す図である。
【図１０】図９中、X-X 線に沿う断面図である。
【図１１】本発明の第５実施例になる携帯電話機を示す図である。
【図１２】図１１中、XII-XII 線に沿う断面図である。
【図１３】本発明の第６実施例になる携帯電話機を示す図である。
【図１４】図１３中、XIV-XIV 線に沿う断面図である。
【図１５】本発明の第７実施例になる携帯電話機を示す図である。
【図１６】図１５中、XVI-XVI 線に沿う断面図である。
【図１７】本発明の第８実施例になる携帯電話機を示す図である。
【図１８】図１７中、XVIII-XVIII 線に沿う断面図である。
【符号の説明】
１０，１０Ａ〜１０Ｇ  携帯電話機
１１  フロントケース
１２  リアケース
１３  電話機本体
１９  バッテリーパック装着部
２０  バッテリーパック
２１  ストラップ
３０，３０Ａ〜３０Ｇ  水没認識構造
３１  水没シート
３１ａ  赤インク印刷部
３１ｂ  印刷無し部
３１ｃ  Ｕ字形状の両面接着テープ
３２  ストラップ止め構造
３３  ストラップ止め軸構造部
３３ｄ  ストラップ止め軸部
３４  透明なストラップカバー
３４ａ  天板部
３４ａ−１  水没シート接着部
３４ａ−２  Ｌ字形状の凸段部
３４ａ−３  浅い凹段部
３５  ポケット
３６  水侵入路
３７  入口
３８  隙間
３９  サービス員の目
４０  イヤホンキャップ
４１  イヤホンキャップ収容部
４２、６２  貫通穴
４５、５１、６５、７１、８１  透明板部材
５０、７０、８０、９２  開口窓
９０  透明なパイプ
９３  ロッドアンテナ
【図１】
0003645066.tif 000002
【図２】
0003645066.tif 000003
【図３】
0003645066.tif 000004
【図４】
0003645066.tif 000005
【図５】
0003645066.tif 000006
【図６】
0003645066.tif 000007
【図７】
0003645066.tif 000008
【図８】
0003645066.tif 000009
【図９】
0003645066.tif 000010
【図１０】
0003645066.tif 000011
【図１１】
0003645066.tif 000012
【図１２】
0003645066.tif 000013
【図１３】
0003645066.tif 000014
【図１４】
0003645066.tif 000015
【図１５】
0003645066.tif 000016
【図１６】
0003645066.tif 000017
【図１７】
0003645066.tif 000018
【図１８】
0003645066.tif 000019